(57)【要約】【課題】本発明は、混雑した場所でも使用者が安定した状態で座ることができ、荷物を抱えて座ることがなくなり、かつ、使用するための作業性を向上させた椅子一体型カバンを提供する。【解決手段】本椅子一体型カバン１は、間隔を隔てて配置され、伸縮自在に構成された２本の脚部２と、２本の脚部２の下方の両端と上方の上端に設けられた支持部３と、前記上方の支持部に設けられた座部４を有する椅子一体型カバンである。本椅子一体型カバン１に荷物を入れる場合には、カバン内の空間に入れるものである。本椅子一体型カバン１を用いて座る場合には、脚部２を適当な長さに伸ばした後、使用者の尻を座部４に乗せた状態で腰掛ける。椅子一体型カバン１を運搬する場合には、脚部２を短縮した後、カバンの取っ手や肩ひもを利用して持つことにより行われる。【選択図】図１
2008259799.tif 000002
【特許請求の範囲】
【請求項１】
間隔を隔てて配置された２本の脚部と、
前記２本の脚部の下方の両端と上方の上端に設けられた支持部と、
前記上方の支持部に設けられた座部と、を有し、
前記脚部は伸縮自在に構成されている椅子と、
一体化していることを特徴とする椅子一体型カバン。
【請求項２】
前記座部は、前記上方の支持部に垂直方向に設置されていることを特徴とする請求項１に記載の椅子一体型カバン。
【発明の詳細な説明】
【技術分野】
【０００１】  本発明は、カバンに関し、特に、２本の脚部を供えた椅子一体型カバンに関する。
【背景技術】
【０００２】  一般に、電車や施設内が混雑して座れない場合、順番待ちのために立って並んでいる場合、観客席のないグランドでスポーツ観戦する場合等に、持ち運びができる携帯用椅子を用いて座ると便利である。【０００３】  従来の携帯用椅子としては、長尺に形成された一本の脚部の頂部に座台を連結して、略Ｔ字状に構成した立ち椅子が知られている。また、立ち椅子と杖とを兼用させたものも知られている。これらの立ち椅子は、人がほぼ立ったままの状態で、尻を座台に載せた状態に腰掛け、座台を介して椅子に体重を預けるようにして使用される。そして荷物を椅子の収容部に入れるようにすることで座る時に手間がかからないものもある。【０００４】  例えば、特許文献１には、同形状の部材を連結して成る一本の脚体と、その脚体に取り付けられる座台とから成る立ち椅子であって、脚体を構成する部材の嵌着状態を解除して座台の下部に脚体の各構成部材を収納することにより、コンパクトに携帯可能とした立ち椅子が、提案されている。また、座台を筒状に構成してその内部に携帯用折り畳み傘等を格納することができるようにしている。【０００５】  また、特許文献２には、脚体の各構成部材をワイヤで連結し、容易に組み立てることができるように構成された立ち椅子が提案されている。【０００６】  さらに、特許文献３には、一本の脚体と、該脚体の頂部に設けられた座体とで構成される携帯用椅子において、座体を、門状の基部材と、脚体を連結するための接続部を備えるとともに、基部材により形成される門の下部間を連結する架橋部材とで構成し、脚体を、複数の筒状部材を分解可能に螺結して構成し、座体を構成する基部材により形成される門状の内部空間に、脚体を構成する筒状部材を格納可能とした携帯用椅子が提案されている。この携帯用椅子によれば、コンパクト且つまとまったかたちで携帯することができ、組み立てが簡便である、としている。【０００７】  そして、特許文献４では、椅子の脚の間に設けられた収容部に荷物を入れることによって、椅子を利用しようとするたびに必要となる、カバンから椅子を取り出して組み立てるという手間を減らしている。
【特許文献１】  特開昭５４−１２００７０号公報
【特許文献２】  特開２００１−２５８６８３号公報
【特許文献３】  特開２００５−３４３９５号公報
【特許文献４】  特開２００６−２３９４７１号公報
【発明の開示】
【発明が解決しようとする課題】
【０００８】  特許文献１乃至３に提案されている従来の携帯用椅子を使用する場合、使用者の両足を含めると３本の足で支えることになるが、椅子が前後左右のどの方向にも動いてしまうため、非常に不安定で座り心地が悪いという課題があった。【０００９】  また、特許文献１乃至３に提案されている従来の携帯用椅子を利用して座る際には荷物は手で持ち続ける必要があり、その結果、荷物を抱える労力は緩和されず、荷物を高い位置で抱えることにより、さらに不安定な状態で座ることになるという課題があった。【００１０】  さらに、特許文献１乃至３に提案されている従来の携帯用椅子では、使用する毎に、カバン等から取り出して組み立てたり、分解したりしなければならず、その作業が非常に煩雑で時間を要するため、わざわざ椅子を携帯してまで使う理由が希薄になってしまうという課題があった。【００１１】  他方特許文献４に提案されている携帯用椅子を使用する場合については、上記課題は解決されているが、椅子の収容部に入れることのできる荷物の量が少ないため、荷物が多い場合には別にカバンを持つ必要がある。結果的に、椅子に座りつつも手に荷物を持つ必要があった。
【課題を解決するための手段】
【００１２】  本発明の椅子一体型カバンは、間隔を隔てて配置され、伸縮自在に構成されている２本の脚部と、前記２本の脚部の下方の両端と上方の上端に設けられた支持部と、前記上方の支持部に設けられた座部とを有する椅子と、一体化していることを特徴とするカバンである。
【発明の効果】
【００１３】  本発明によれば、椅子がカバンと一体化しているので携行する荷物が多くても椅子とカバンを別に携帯する必要がなくなる。【００１４】  また、荷物が多くてもカバンと椅子を別に携行する必要がなくなるので、使用者は荷物を抱えないで済む可能性が高くなり、荷物を抱える労力が緩和される。これによって、重心が下に移動するので、さらに安定度が増すことになる。【００１５】  また、運搬するときは、脚部を縮めるだけであるので、作業を簡単に短時間で行うことができる。
【発明を実施するための最良の形態】
【００１６】  以下、本発明の実施の形態について図面を参照して説明する。図１（Ａ）は本発明の実施形態例に係る椅子一体型カバンを示す正面図、（Ｂ）はその側面図、図２（Ａ）が本発明の実施形態例に係る椅子一体型カバンの脚部を伸ばした状態を示す正面図、（Ｂ）はその側面図、（Ｃ）は脚部の内部構造を示す断面図である。【００１７】  図１及び図２に示すように、本発明の実施形態例に係る椅子一体型カバン１は、間隔を隔てて配置され、伸縮自在に構成された２本の脚部２と、２本の脚部２の下方の両端と上方の上端に設けられた支持部３と、前記上方の支持部に設けられた座部４とを有する椅子と、一体化したカバン５である。【００１８】  脚部２は、図２（Ｃ）に示すように、筒状の下側脚部２ａと、その下側脚部２ａ内に移動可能に嵌合する上側脚部２ｂとからなり、伸縮自在に構成されている。また、上側脚部２ｂは、図示しない公知の係止手段により下側脚部２ａの所定位置に係止できるように構成されている。【００１９】  支持部５の底部には、滑り止め用のラバー７が取り付けられている。【００２０】  本発明の実施形態例に係る椅子一体型カバン１を用いて座る場合には、脚部２を伸ばした後、荷物をカバンに入れ、使用者の尻を座部４に乗せた状態で腰掛ける。【００２１】  また、椅子一体型カバン１を運搬する場合には、脚部２を短縮した後、カバンの取っ手６を持って行われる。【００２２】  本発明の実施形態例に係る椅子一体型カバン１によれば、脚部２が２本あるので、特許文献１乃至３に提案されている従来の携帯用椅子に比べ、動きうる方向は２つに減少する。つまり、椅子を跨いで座っている状態であれば動きうる方向は左右の２つのみに減少し、椅子を両足の後ろに置いて座っている状態であれば前後の２つのみに減少する。その結果、使用者は安定した状態で座ることができる。【００２３】  他方、脚部２の数を２本に抑えておけば椅子の形は平面から見て１本の線だけで済むことになるため、空間を占有せず混雑したところでも周囲の邪魔になりにくい。仮に脚部を３本にしてしまうと、椅子が一定の空間を占有してしまう形になるため、周囲の邪魔になりやすくなってしまうことになる。【００２４】  また、荷物が多くてもカバン内に入れることができるので使用者は荷物を抱えないで済むようになり、荷物を抱える労力が緩和される。これによって、重心が下に移動するので、さらに安定度が増すことになる。【００２５】  さらに、運搬するときは、脚部２を縮めるだけであるので、作業が簡単で短時間で行うことができる。【００２６】  本発明は、上記実施の形態に限定されることはなく、特許請求の範囲に記載された技術的事項の範囲内において、種々の変更が可能である。例えば、本椅子一体型カバン１の脚部は、アルミ合金等のような軽量で剛性のある材質で作られているのが好ましい。【００２７】  またカバンとしてはビジネスバッグだけではなく、リュックサックその他のカバンでも応用可能である。
【産業上の利用可能性】
【００２８】  本発明は、例えば電車や施設内が混雑して座れない場合、順番待ちのために立って並んでいる場合、観客席のないグランドでスポーツ観戦する場合等に持ち運んで座るために利用される。
【図面の簡単な説明】
【００２９】
【図１】（Ａ）が本発明の実施形態例に係る椅子一体型カバンの脚部を縮めた状態を示す正面図、（Ｂ）はその側面図である。
【図２】（Ａ）は本発明の実施形態例に係る椅子一体型カバンの脚部を伸ばした状態を示す正面図、（Ｂ）はその側面図、（Ｃ）はその上面図である。
【符号の説明】
【００３０】１：椅子一体型カバン
２：脚部
３：支持部
４：座部
５：カバン
６：カバン取っ手
７：ラバー
【図１】
2008259799.tif 000003
【図２】
2008259799.tif 000004